(57)【特許請求の範囲】
【請求項１】
移動制御端末、少なくとも一つの遠隔制御対象装置及び信号アクセスポイント（ＡＰ）を含み、
移動制御端末と遠隔制御対象装置との間はＡＰを介してデータを送受信し、
各遠隔制御対象装置はアクセスコントローラ及びアクセスコントローラに接続される制御対象電気製品を含み、
前記アクセスコントローラには無線信号基地局及びカウンターが設けられ、
移動制御端末は各遠隔制御対象装置の無線信号基地局における信号の強さを検出し、
前記移動制御端末は受信された遠隔制御対象装置における信号の強さの変化によってカウンターにＷＩＦＩコマンドを送信し、それによりカウンターは、インクリメント・デクリメントをし、真偽条件を成立させ、かつ遠隔制御対象装置を知能的に制御し、使用者が移動制御端末を持って遠隔制御対象装置のサービスエリアに入るとき、カウンターがインクリメントを一回するように信号を送信し、使用者が移動制御端末を持って遠隔制御対象装置のサービスエリアから離れるとき、カウンターがデクリメントを一回するように信号を送信し、
前記制御対象電気製品といろいろなユーザが使用している移動制御端末はいずれも、区別マークとしての唯一のデバイス識別コードを有しており、移動制御端末はデバイス識別コードにより所定の制御対象電気製品を区別し、
カウンターはインクリメントコマンドを実行する前に識別コードにより移動制御端末がインクリメントコマンドを送信したか否かを検出し、記憶されている場合カウンターは作動せず、記憶していない場合カウンターはインクリメントを一回し且つ移動制御端末の識別コードを記憶し、
カウンターはデクリメントコマンドを実行する前にコマンドが送信された移動制御端末識別コードを記憶しているか否か検出し、記憶していない場合カウンターは作動せず、記憶されている場合デクリメントを一回行い且つ記憶済みのデバイス識別コードを削除することを特徴とするスマートホーム無線制御システム。
【請求項２】
制御対象電気製品の遠隔制御対象装置は第一の種類の電気製品、第二の種類の電気製品、第三の種類の電気製品に分けられ、
前記アクセスコントローラは、スイッチ制御ユニット、モータ制御ユニット及びデータ変換ユニットの三つの種類に分けられ、第一の種類の電気製品、第二の種類の電気製品、第三の種類の電気製品それぞれはスイッチ制御ユニット、モータ制御ユニット及びデータ変換ユニットに対応して合わせて使用されることを特徴とする請求項１に記載のスマートホーム無線制御システム。
【請求項３】
前記スイッチ制御ユニットは電子或いは機械のスイッチ部品を含み、スイッチ部品のオンオフを、その自身のＩＯポートのオンオフ、或いは、ＷＩＦＩコマンドにより制御し、スイッチは、カウンターの「真」という条件が成立するときにオン状態に切り換えられ、スイッチは、カウンターの「偽」という条件が成立するときにオフ状態に切り換えられることを特徴とする請求項２に記載のスマートホーム無線制御システム。
【請求項４】
前記モータ制御ユニットは機械スイッチ部品を含み、その自身のＩＯポートのオンオフ、或いは、ＷＩＦＩコマンドにより、スイッチ部品をオンに制御してモータの正転制御信号を出力し、スイッチ部品をオフに制御してモータの逆転制御信号を出力し、
スイッチは、カウンターの「真」という条件が成立するときにオン状態に切り換えられ、
スイッチは、カウンターの「偽」という条件が成立するときにオフ状態に切り換えられることを特徴とする請求項２に記載のスマートホーム無線制御システム。
【請求項５】
前記データ変換ユニットは拡張可能プログラミング可能なプロトコル変換装置であり、その中にＩＯポートを含み、信号の入出力を行い、ＷＩＦＩコマンドにより所定のＩＯポートの入力データを検索できると共に所定のＩＯポートに所定のフォーマットのデータを出力させるように制御することにより、外部装置を制御し、
その内部にシリアルナンバーによりトリガーされ出力されるプリセットコマンドを記憶することが可能であり、プリセットコマンドの出力ポート及びデータコンテンツをＷＩＦＩコマンドにより設定することが可能であり、同時にプリセットコマンドとカウンター条件とをトリガーして関連付けさせ、カウンター条件が変化するときに対応するプリセットコマンドをトリガーして出力することを実現することが可能であることを特徴とする請求項２に記載のスマートホーム無線制御システム。
【請求項６】
前記データ変換ユニットはデータ収集装置及び赤外線送信機を含み、前記データ収集装置は電流コレクタ及び温度計で構成されることを特徴とする請求項５に記載のスマートホーム無線制御システム。
【請求項７】
前記電流コレクタは接続装置の現時点の使用電流を取得し且つそれをデータに変換してデータ変換ユニットによりＡＰに送信し、赤外線送信機はデータ変換ユニットによってＡＰに送信されたデータを赤外信号に変換し且つその赤外信号を制御対象電気製品に送信し、温度計は現時点の環境温度を取得し且つそれをデータに変換してデータ変換ユニットによりＡＰに送信することを特徴とする請求項６に記載のスマートホーム無線制御システム。
【請求項８】
前記移動制御端末はコア処理モジュールを含み、
前記コア処理モジュールは、使用者が第三の種類の電気製品のサービスエリアに入ると判断するときに、まず第三の種類の電気製品の使用電流を検出し、待機電流より小さい或いは等しい場合、コア処理モジュールが制御対象電気製品をスイッチオンにするようにコマンドを送信し、同時にカウンターにインクリメントコマンドを送信し、待機電流より大きい場合、いずれの動作もトリガーされずに、カウンターにインクリメントコマンドを送信し、
前記コア処理モジュールは、使用者が第三の種類の電気製品のサービスエリアから離れると判断するとき、カウンターにデクリメントコマンドを送信し、デクリメントコマンドが実行した後のカウンターの計数がゼロである場合、第三の種類の電気製品の使用電流が待機電流より小さい或いは等しければ、いずれも動作もトリガーされず、待機電流より大きければ、コア処理モジュールは待機コマンドを送信し、デクリメントコマンドが実行した後のカウンターの計数がゼロより大きいときには、いずれの動作もトリガーされないことを特徴とする請求項７に記載のスマートホーム無線制御システム。
【請求項９】
前記移動制御端末は、コア処理モジュール、地磁気センサー及び方向センサーを含み、前記地磁気センサーと方向センサーそれぞれがコア処理モジュールに接続され、地磁気センサーの取得した位置情報が所定範囲内にあるとき、コア処理モジュールは方向センサーの指す方向により、設置済みの遠隔制御対象装置それぞれを制御することを特徴とする請求項１に記載のスマートホーム無線制御システム。
【請求項１０】
前記地磁気センサーが取得した位置情報は、地球磁場に対する移動制御端末の南北極偏向であり、前記方向センサーが取得した位置情報は、相対水平面に対する該移動制御端末の各側面の傾斜角度であることを特徴とする請求項９に記載のスマートホーム無線制御システム。
【請求項１１】
前記移動制御端末は三軸加速度計を更に含み、使用者がプリセットした範囲に入るとき、三軸加速度計はスイッチオンとなり、使用者がサービスエリアから離れるとき、三軸加速度計はスイッチオフとなることを特徴とする請求項９に記載のスマートホーム無線制御システム。
【請求項１２】
三軸加速度計は、加速度が所定値より大きいと検出するとき、移動制御端末は組み合わせ操作インターフェースに切り換え、組み合わせ操作インターフェースは主に二つの部分に分けられ、一部分の表示インターフェースは指す方向に対応する装置の操作インターフェースであり、他方の一部分の表示インターフェースは現時点位置で検索され、且つ信号の強さにより順番付けられる全ての制御対象電気製品のアイコン選択リストであることを特徴とする請求項１１に記載のスマートホーム無線制御システム。
【請求項１３】
使用者は、室外にいるときに、自ら携帯電話上のスマートホーム無線制御システムの操作インターフェースをスタートさせることが可能であり、使用者は外部ネットワークにより遠隔制御対象装置を制御し、カウンターにインクリメントを一回行わせ、或いはデクリメントを一回行わせるようにし、真偽条件を成立させることを特徴とする請求項１０に記載のスマートホーム無線制御システム。
【発明の詳細な説明】
【技術分野】
【０００１】
本発明は、ホーム制御システム分野に関し、特にスマートホーム無線制御システムに関する。
【背景技術】
【０００２】
スマートホン、タブレットＰＣ及びスマートデバイスなどのテクノロジー製品は、科学技術の発展及び人々の生活レベルの向上に伴い、機能が充実し続け、パフォーマンスがますます上がり、普及率も高くなる。より多くの人々は、効率を求め、より質の高い生活を体験しようとする行列に加わり、スマートシステムによる利便性に十分な期待を持っている。
【０００３】
しかし、従来のスマートシステムは、保守的なデザイン理念を踏まえて、革新性が欠如しているため、多くのスマートシステムが実際に使用されるときに完全に知能化していないとユーザが感じ、実用的な機能を備えないだけではなく、操作過程も面倒である。コントロールインターフェースは、複数のメニューがあるため、インターフェースを切り替えて関連デバイスを見つける操作が極めて面倒臭い。従って、ユーザは、歩いてデバイススイッチを見つけて操作したり、音声や光センサーなどのデバイスを取り付けて制御したりすることが逆に実用的で効果的である。ユーザ、特に家にいるお年寄りと子供たちは、同時に、スマートシステムを使用する習慣が徹底的に変化することにより専ら操作トレーニングを受けなければならないため、スマートホームに趣味を徐々に失わせ、スマートシステムの実用的価値が低下する。
【発明の概要】
【発明が解決しようとする課題】
【０００４】
本発明は、上記を踏まえて、使用しやすく、上記課題を解決できるスマートホーム無線制御システムを提供することを目的とする。
【課題を解決するための手段】
【０００５】
スマートホーム無線制御システムは、移動制御端末、少なくとも一つの遠隔制御対象装置及び信号アクセスポイント（ＡＰ）を含み、移動制御端末と遠隔制御対象装置との間は、ＡＰを介してデータを送受信し、各遠隔制御対象装置は、アクセスコントローラ及びアクセスコントローラに接続される制御対象電気製品を含み、前記アクセスコントローラには、無線信号基地局及びカウンターが設けられ、移動制御端末は、遠隔制御対象装置それぞれの無線信号基地局における信号の強さを検出し、前記移動制御端末は、受信された遠隔制御対象装置における信号の強さの変化によってカウンターにＷＩＦＩコマンドを送信し、カウンターにインクリメント・デクリメントを行わせ、真偽条件を成立させ、遠隔制御対象装置をスマート制御し、使用者が移動制御端末を携帯して遠隔制御対象装置によるサービスエリアに入るときに、カウンターにインクリメントを一回行わせるように送信し、使用者が移動制御端末を携帯して遠隔制御対象装置によるサービスエリアから離れるときに、カウンターにデクリメントを一回行わせるように送信する。
更には、前記制御対象電気製品及び異なるユーザが使用する移動制御端末は、いずれも区別マークとして唯一のデバイス識別コードを有し、移動制御端末はデバイス識別コードにより異なる制御対象電気製品を区別し、カウンターはインクリメントコマンドを実行する前に、識別コードにより移動制御端末がインクリメントコマンドを送信したか否かを検出し、記憶済みであればカウンターが変化せず、記憶していなければカウンターはインクリメントを一回行わせ且つ移動制御端末の識別コードを記憶し、カウンターはデクリメントコマンドを実行する前に、コマンドが送信された移動制御端末識別コードを記憶しているか否か検出し、記憶していなければカウンターが変化せず、記憶済みであればデクリメントを一回行わせ且つ記憶済みのデバイス識別コードを削除する。
更には、制御対象電気製品の遠隔制御対象装置は第一の種類の電気製品、第二の種類の電気製品、第三の種類の電気製品に分けられ、前記アクセスコントローラはスイッチ制御ユニット、モータ制御ユニット及びデータ変換ユニットの三つの種類に分けられ、第一の種類の電気製品、第二の種類の電気製品、第三の種類の電気製品それぞれはスイッチ制御ユニット、モータ制御ユニット及びデータ変換ユニットに対応して合わせて使用される。
【０００６】
更には、前記スイッチ制御ユニットは電子或いは機械のスイッチ部品を含み、スイッチ部品のオンオフを、その自身のＩＯポートのオンオフ、或いは、ＷＩＦＩコマンドにより制御し、スイッチは、カウンターの「真」という条件が成立するときにオン状態に切り換えられ、スイッチは、カウンターの「偽」という条件が成立するときにオフ状態に切り換えられる。
【０００７】
更には、前記モータ制御ユニットは機械スイッチ部品を含み、その自身のＩＯポートのオンオフ、或いは、ＷＩＦＩコマンドにより、スイッチ部品をオンに制御してモータの正転制御信号を出力し、スイッチ部品をオフに制御してモータの逆転制御信号を出力し、スイッチは、カウンターの「真」という条件が成立するときにオン状態に切り換えられ、スイッチは、カウンターの「偽」という条件が成立するときにオフ状態に切り換えられる。
【０００８】
更には、前記データ変換ユニットは拡張可能プログラミング可能なプロトコル変換装置であり、その中にＩＯポートを含み、信号の入出力を行い、ＷＩＦＩコマンドにより所定のＩＯポートの入力データを検索できると共に所定のＩＯポートに所定のフォーマットのデータを出力させるように制御することにより、外部装置を制御し、その内部にシリアルナンバーによりトリガーされ出力されるプリセットコマンドを記憶することが可能であり、プリセットコマンドの出力ポート及びデータコンテンツをＷＩＦＩコマンドにより設定することが可能であり、同時にプリセットコマンドとカウンター条件とをトリガーして関連付けさせ、カウンター条件が変化するときに対応するプリセットコマンドをトリガーして出力することを実現することが可能である。
【０００９】
更には、前記データ変換ユニットはデータ収集装置及び赤外線送信機を含み、前記データ収集装置は電流コレクタ及び温度計で構成される。
更には、前記電流コレクタは現時点の接続装置の使用電流を取得し且つデータに変換しデータ変換ユニットによりＡＰに送信し、赤外線送信機は変換ユニットによりＡＰに送信したデータを赤外信号に変換し且つ制御対象電気製品に送信し、温度計は現時点の環境温度を取得し且つデータに変換しデータ変換ユニットによりＡＰに送信する。
【００１０】
更には、前記移動制御端末はコア処理モジュールを含み、前記コア処理モジュールは、使用者が第三の種類の電気製品のサービスエリアに入ると判断するときに、まず第三の種類の電気製品の使用電流を検出し、待機電流より小さい或いは等しい場合、コア処理モジュールが制御対象電気製品をスイッチオンにするようにコマンドを送信し、同時にカウンターにインクリメントコマンドを送信し、待機電流より大きい場合、いずれの動作もトリガーされずに、カウンターにインクリメントコマンドを送信し、前記コア処理モジュールは、使用者が第三の種類の電気製品のサービスエリアから離れると判断するとき、カウンターにデクリメントコマンドを送信し、デクリメントコマンドが実行した後のカウンターの計数がゼロである場合、第三の種類の電気製品の使用電流が待機電流より小さい或いは等しければ、いずれも動作もトリガーされず、待機電流より大きければ、コア処理モジュールは待機コマンドを送信し、デクリメントコマンドが実行した後のカウンターの計数がゼロより大きいときに、いずれの動作もトリガーされない。
【００１１】
更には、前記移動制御端末は、コア処理モジュール、地磁気センサー及び方向センサーを含み、前記地磁気センサーと方向センサーそれぞれがコア処理モジュールに接続され、地磁気センサーの取得した位置情報が所定範囲内にあるとき、コア処理モジュールは方向センサーの指す方向により、設置済みの遠隔制御対象装置それぞれを制御する。
更には、前記地磁気センサーが取得した位置情報は、地球磁場に対する移動制御端末の南北極偏向であり、前記方向センサーが取得した位置情報は、相対水平面に対する該移動制御端末の各側面の傾斜角度である。
【００１２】
更には、前記移動制御端末はさらに三軸加速度計を含み、使用者がプリセットした範囲に入るときに、三軸加速度計はスイッチオンとなり、該エリアから離れるときに、三軸加速度計はスイッチオフとなる。
更には、三軸加速度計は加速度が所定値より大きいと検出するとき、移動制御端末は組み合わせ操作インターフェースに切り換え、組み合わせ操作インターフェースは主に二つの部分に分けられ、一部分の表示インターフェースは指す方向に対応する装置の操作インターフェースであり、他方の一部分の表示インターフェースは現時点位置で検索され、且つ信号の強さにより順番付けられる全ての制御対象電気製品のアイコン選択リストである。
【００１３】
更には、使用者は、室外にいるときに、自ら携帯電話上のスマートホーム無線制御システムの操作インターフェースをスタートさせることが可能であり、使用者は外部ネットワークにより遠隔制御対象装置を制御し、カウンターにインクリメントを一回行わせ、或いはデクリメントを一回行わせるようにし、真偽条件を成立させる。
【００１４】
スマートホーム無線制御システムは、その特徴が以下のとおりである。移動制御端末、少なくとも一つの遠隔制御対象装置及び信号アクセスポイント（ＡＰ）を含み、移動制御端末と遠隔制御対象装置との間にＡＰによりデータを受送信し、遠隔制御対象装置それぞれはアクセスコントローラ及びアクセスコントローラに接続された制御対象電気製品を含み、前記アクセスコントローラに無線信号基地局が設けられ、移動制御端末は遠隔制御対象装置それぞれの無線信号基地局における信号の強さを検出し、前記移動制御端末は受信された遠隔制御対象装置における信号の強さの変化によって遠隔制御対象装置にスマート制御を行い、前記移動制御端末はコア処理モジュール、地磁気センサー及び方向センサーを含み、前記地磁気センサーと方向センサーそれぞれがコア処理モジュールに接続され、地磁気センサーの取得した位置情報が所定範囲内にあるときに、コア処理モジュールは方向センサーの指す方向により、設置済みの遠隔制御対象装置それぞれを制御し、移動制御端末は組み合わせ操作インターフェースに切り換えられ、組み合わせ操作インターフェースは二つの部分に分けられ、その中の一部分の表示インターフェースは指す方向に対応する装置の操作インターフェースであり、他方の一部分の表示インターフェースは現時点位置で検索され、且つ信号の強さにより順番付けられる全ての制御対象電気製品のアイコン選択リストである。
【００１５】
更には、前記地磁気センサーが取得した位置情報は、地球磁場に対する移動制御端末の南北極偏向であり、前記方向センサーが取得した位置情報は、相対水平面に対する該移動制御端末の各側面の傾斜角度である。
【発明の効果】
【００１６】
本発明は、スマートホーム無線制御システムの操作過程全体が自動的に行われ、知能化レベルが高く、ユーザの行動の需要が予測しにくいテレビ或いは他の複合機能電気製品の制御にも、同一の携帯電話を使用し且つ位置及び指し方向の固定を組み合わせてユーザに制御インターフェースを迅速に表示し制御を行い、ユーザに複数の操作を行わせる必要がなく、複数の異なるリモコンを配置し且つ使用する必要がなく、同時に家から出かけた後にスイッチのオフを忘れたことで引き起こされる電力の無駄遣いを心配する必要がなく、ホーム電気製品をより知能化にし、環境にやさしくする。
【図面の簡単な説明】
【００１７】
【図１】本発明のスマートホーム無線制御システムの構造原理図である。
【図２】図１に示すスマートホーム無線制御システムの移動制御端末の構造原理図である。
【図３】図１のスマートホーム無線制御システムの使用フロー図である。
【図４】図１のスマートホーム無線制御システムのスペースの使用を示す図である。
【発明を実施するための形態】
【００１８】
本発明を実現する技術的手段をより明確に示すために、以下に図面を組み合わせて本発明をさらに説明する。
【００１９】
本発明は、図１乃至図４を参照し、スマートホーム遠隔制御システムを提供し、該スマートホーム遠隔制御システムに移動制御端末１０、少なくとも一つの遠隔制御対象装置３０及び信号アクセスポイント２０（以下ＡＰと略称）を含み、前記遠隔制御対象装置３０が室内スペースの異なる位置、例えば部屋、ホールなどに取り付けられ、前記ＡＰがＷＩＦＩ信号を生成し、移動制御端末１０と遠隔制御対象装置とがいずれもＷＩＦＩ信号によりＡＰに接続され、前記移動制御端末１０と遠隔制御対象装置３０との間はＡＰを介してデータを受送信し、移動制御端末１０が遠隔制御対象装置３０を制御することが可能であり、例えばランプのスイッチのオン・オフ、温度の調節、テレビ番組の選択などが挙げられる。
【００２０】
前記移動制御端末１０は無線で通信可能なポータブル装置であり、本実施例において、該移動制御端末１０はスマートホンである。前記移動制御端末１０はコア処理モジュール１１及び該コア処理モジュール１１にそれぞれ接続された地磁気センサー１２、方向センサー１３、三軸加速度計１４を含む。前記地磁気センサー１２及び方向センサー１３が該移動制御端末１０の位置情報を取得するために用いられ、そのうち該地磁気センサー１２の取得した位置情報は地磁気に対する該移動制御端末１０の南北極偏向であり、前記方向センサー１３の取得した位置情報は相対水平面に対する該移動制御端末１０の各側面の傾斜角度であり、地磁気センサー１２の取得した位置情報が所定範囲内にあるときに、コア処理モジュール１１は方向センサー１３の指す方向により、設定済みの各遠隔制御対象装置３０を制御する。
【００２１】
前記三軸加速度計１４が移動制御端末１０の動き加速度を測定するために用いられ、室内スペース９０には少なくとも一つのプリセット範囲Ｐ１を予め設定し、Ｐ１はスマートホーム無線制御システムを配置するときに選定され、使用者が所定範囲Ｐ１に入るときに、三軸加速度計１４がスイッチオンになり、該エリアから離れるときに、三軸加速度計１４がスイッチオフになる。三軸加速度計１４をスイッチオンにした後、移動制御端末１０の動き加速度の変化が比較的に大きいときに、三軸加速度計１４は、情報をコア処理モジュール１１にフィードバックする。コア処理モジュール１１はコマンドを送信し、携帯電話をスマートホーム遠隔制御システムの画面に切り換えさせる。
【００２２】
遠隔制御対象装置３０それぞれはアクセスコントローラ４０及びアクセスコントローラ４０に接続される制御対象電気製品５０を含み、前記遠隔制御対象装置３０は複数のタイプに分けることが可能であり、異なるタイプの遠隔制御対象装置３０により、アクセスコントローラ４０も同じくスイッチ制御ユニット４１、モータ制御ユニット４２及びデータ変換ユニット４３という三つのタイプに分けることが可能である。前記アクセスコントローラ４０に無線信号基地局がさらに設けられ、前記無線信号基地局は外にＷＩＦＩ信号を送信し、前記無線信号基地局のＷＩＦＩ信号はカバーエリアを形成し移動制御端末１０を識別させ且つ接続させ、移動制御端末１０は遠隔制御対象装置３０それぞれの無線信号基地局の信号の強さを検出し、前記移動制御端末１０は受信された遠隔制御対象装置３０の信号の強さの変化により、遠隔制御対象装置３０に知能化制御を行い、それをスイッチオン或いはスイッチオフにすることが可能である。
【００２３】
前記制御対象電気製品５０は異なる種類の家電製品であってもよく、これらの家電製品では、スイッチ制御、モータ制御或いはデータ変換の方式による制御を行い、説明しやすくするため、前記三つの種類の制御対象電気製品５０を用いる遠隔制御対象装置３０を第一の種類の電気製品、第二の種類の電気製品、第三の種類の電気製品に分け、相応的に、遠隔制御対象装置が第一の種類の電気製品、第二の種類の電気製品、第三の種類の電気製品であるときに、前記アクセスコントローラ４０は相応的にスイッチ制御ユニット４１、モータ制御ユニット４２或いはデータ変換ユニット４３を採用することができる。
【００２４】
前記アクセスコントローラ４０にカウンターが設けられ、前記カウンターはＷＩＦＩコマンドによりインクリメント・デクリメントを行わせ、真偽条件を成立させることが可能になる。制御対象電気製品それぞれ及び異なるユーザの使用する移動制御端末はいずれも区別マークとして唯一のデバイス識別コードを有し、移動制御端末１０はデバイス識別コードにより異なる電気製品を区別し、カウンターにインクリメントコマンドを行わせる前に、デバイス識別コードにより移動制御端末がインクリメントコマンドを送信したか否かを検出し、記憶済みであればカウンターが変化せず、記憶していなければカウンターにインクリメントを一回行わせ且つ移動制御端末の識別コードを記憶する。カウンターにデクリメント操作を実行する前にコマンドが送信された移動制御端末識別コードを記憶しているか否か検出し、記憶済みであればカウンターが変化せず、記憶していなければカウンターにデクリメントを一回行わせ且つ記憶済みのデバイス識別コードを削除する。使用者が移動制御端末１０を携帯してあるエリアに入るときに、移動制御端末１０は該遠隔制御対象装置３０にカウンターインクリメントコマンドを送信し、カウンターにインクリメントを一回行わせるようにし、使用者が該遠隔制御対象装置３０のサービスエリアに入ることを示す。逆に、使用者が移動制御端末１０を携帯してあるエリアから離れるときに、移動制御端末１０は該遠隔制御対象装置３０にカウンターデクリメントコマンドを送信し、カウンターにデクリメントを一回行わせ、使用者が該遠隔制御対象装置３０のサービスエリアから離れることを示し、カウンターの計数が「ゼロ」であるときに、全ての使用者は該遠隔制御対象装置３０のサービスエリアから離れることを示す。
【００２５】
本実施例において、主に移動制御端末と遠隔制御対象装置との接続する信号の強さにより使用者が入るか否かを判断し、他の実施例において、他の方法で判断することも可能である。使用者が室外にいるときに、使用者は自ら携帯電話上のスマートホーム無線制御システムの操作インターフェースをスタートさせることも可能であり、ＧＰＲＳ、インターネットなどの外部ネットワークにより遠隔制御対象装置３０を制御し、使用者の進入或いは離れたことを模倣することにより、カウンターにインクリメントを一回行わせ、真偽条件が成立する。
【００２６】
前記データ変換ユニットはデータ収集装置５７と赤外線送信機を含み、データ収集装置は電流コレクタ及び温度計を含む。
【００２７】
電流コレクタは現時点の接続装置の使用電流を取得し且つデータに変換しデータ変換ユニットを介してＡＰに送信することが可能であり、赤外線送信機はＡＰのデータ変換ユニットから受信されたデータを赤外信号に変換し且つテレビ及びエアコンに送信することが可能であり、温度計は現時点の環境温度を取得し且つデータに変換しデータ変換ユニットを介してＡＰに送信し、前記電流コレクタは装置が現時点での電流を使用する状況を検出するために用いられる。コア処理モジュール１１は、使用者が第三の種類の電気製品のサービスエリアに入ると判断するときに、まずテレビ５５／エアコン５６の使用電流を検出し、待機電流より小さい或いは等しいときに、コア処理モジュール１１は制御対象電気製品５０をスイッチオンにするようにコマンドを送信し、同時にカウンターにインクリメントコマンドを送信し、待機電流より大きい（即ち、既に誰かに使用されている）ときに、いずれの動作もトリガーされずに、カウンターにインクリメントコマンドを送信する。温度検出をするために、前記遠隔制御装置３０はさらに温度計５８を含み、前記温度計５８は室内の温度を検出する。
【００２８】
コア処理モジュール１１は、使用者が第三の種類の電気製品のサービスエリアから離れると判断するときに、カウンターにデクリメントコマンドを送信し、この時以下の二つの場合に分けられ、カウンターの計数が「０」であるときに、全ての使用者はサービスエリアから離れることを示し、そしてテレビ５５／エアコン５６の使用電流を検出し、待機電流より小さい或いは等しいときに、いずれの動作もトリガーされず、待機電流より大きいときに、コア処理モジュール１１は待機コマンドを送信する。カウンターの計数が０より大きいときに、まだ使用されていることを示し、いずれの動作もトリガーされない。
【００２９】
以下は本発明の具体的な実施例であり、本実施例において、遠隔制御対象装置３０は合計五つあり、説明しやすくするため、五つの遠隔制御対象装置を順に第一遠隔制御対象装置、第二遠隔制御対象装置、第三遠隔制御対象装置、第四遠隔制御対象装置及び第五遠隔制御対象装置と称し、第一遠隔制御対象装置と第二遠隔制御対象装置とは第一の種類の電気製品であり、第三遠隔制御対象装置と第四遠隔制御対象装置とは第三の種類の電気製品であり、第五遠隔制御対象装置は第二の種類であり、第一遠隔制御対象装置、第二遠隔制御対象装置、第三遠隔制御対象装置、第四遠隔制御対象装置及び第五遠隔制御対象装置の制御対象電気製品５０のそれぞれは第一ランプ５１１、第二ランプ５１２、エアコン５６、テレビ５５、カーテン５４であり、異なる制御対象電気製品５０の分布は図２、３に示すように、使用者はルートＴ１により部屋に入り且つルートＴ２により部屋から出ており、スマートホーム無線制御システムの動作過程は具体的に以下のとおりである。
【００３０】
ユーザが携帯電話を持って入り口を通じて室内１００に入り、第一遠隔制御対象装置が送信したＷＩＦＩ信号の強さがＬＶ１に達したと検出するときに、携帯電話はＡＰを介して自動的に第一遠隔制御対象装置にカウンターインクリメントコマンドを送信し、このときカウンターの状態は０から１に変わり「真」という条件が成立し、第一ランプ５１１がスイッチオンになり点灯する。そして、ユーザは、携帯電話を持って第二遠隔制御対象装置が発したＷＩＦＩ信号の強さがＬＶ３に達するエリアに入ると、携帯電話はＡＰを介して第二遠隔制御対象装置にカウンターインクリメントコマンドを送信し、この時第二遠隔制御対象装置のカウンターは０から１に変わり「真」という条件が成立し、第二ランプ５１２はスイッチオンになり点灯する。
【００３１】
携帯電話のコア処理モジュール１１は第一遠隔制御対象装置、第二遠隔制御対象装置のＷＩＦＩ信号の強さの変化により、ユーザの行く方向とＴ１とがマッチングすると判断すれば、入り口から入り、従って携帯電話はＡＰを介して自動的に温度計５８にエアコン５６外部の温度情報を収集させ、且つ温度情報とユーザが設定した温度範囲値とを比較し、温度が温度範囲より高いときには、携帯電話はＡＰを介して第三遠隔制御対象装置に向けてプリセットした冷房制御というコマンドを送信し、温度が温度範囲より低いときには、プリセットした暖房制御というコマンドを送信する。携帯電話はエアコン５６にいずれかのコマンドを送信した後、さらにＡＰを介して電流コレクタ５７にエアコン５６の現時点の使用電流を読み取りさせ、使用電流がプリセットした待機電流より大きいときには、携帯電話はＡＰを介して自動的に第三遠隔制御対象装置にカウンターインクリメントコマンドを送信する。第三遠隔制御対象装置がデバイス識別コードにより移動制御端末がインクリメントコマンドを既に送信していることを検出すると、カウンターは変化しない。
【００３２】
ユーザは引き続き移動し、ユーザが携帯電話を持って第一遠隔制御対象装置が発したＷＩＦＩ信号の強さがＬＶ２より小さいエリアに移動するときに、携帯電話はＡＰを介して自動的に第一遠隔制御対象装置２０にカウンターデクリメントコマンドを送信し、この時第一ランプ５１１のカウンターは１からゼロに変わり「偽」という条件が成立し、第一ランプ５１１はスイッチオフになり明かりが消える。ユーザは携帯電話を持って第五遠隔制御対象装置２０の発したＷＩＦＩ信号の強さがＬＶ５に達し且つ第二遠隔制御対象装置の発したＷＩＦＩ信号の強さがＬＶ３範囲内にある交差位置に移動するときに、携帯電話はＡＰを介して自動的にカーテン５４にカウンターインクリメントコマンドを送信し、この時カーテン５４１のカウンターは０から１に変わり且つ「真」という条件が成立し、カーテン５４はスイッチオンになり且つ正転して開けられる。
【００３３】
ユーザが位置Ｐ１に歩くときに、携帯電話は三軸加速度計１４を自動的に開始させリアルタイムなデータ収集を実行する。ユーザが携帯電話を持ち出し且つ迅速に振るときに、携帯電話の三軸加速度計１４により収集されたデータは短い間隔で且つ偏差値が大きく絶え間なく変化し、激しい変化時間が１秒を超えてもまだ停止しないときに、携帯電話のスクリーンはスマートホーム無線制御システムの操作インターフェースに切り換え、携帯電話の水平指向角度が所定のＬ１に対してＡ１からＡ２の間にあり、同時に垂直指向角度が所定のＬ２に対してＡ３からＡ４の間にあるときに、携帯電話はユーザの現時点指向装置はテレビ５５であると判断して、操作インターフェースにテレビ５５リモコンの模擬インターフェースを表示し、ユーザが操作インターフェースのボタンをクリックするときに、携帯電話はＡＰを介して第四遠隔制御対象装置を経由してテレビにユーザのクリックしたボタンに関連するコマンドを送信する。携帯電話が第四遠隔制御対象装置にコマンドを送信する度に、電流コレクタ５７からテレビ５５の現時点の使用電流を読み取り、使用電流がプリセットした待機電流より大きいときに、携帯電話はＡＰを介して自動的に第四遠隔制御対象装置にカウンターインクリメントコマンドを送信し、使用電流がプリセットした待機電流より小さい或いは等しいときに、携帯電話はＡＰを介して自動的に第四遠隔制御対象装置にカウンターデクリメントコマンドを送信し、第四遠隔制御対象装置はインクリメント・デクリメント操作のみを実行し、いずれの動作もトリガーされない。携帯電話の水平指向角度がＬ１に対してＡ１からＡ２の間にあり、しかし垂直指向角度がＡ３からＡ４の範囲を超えるときに、携帯電話の表示インターフェースは組み合わせ操作インターフェースに切り換わり、組み合わせ操作インターフェースは主に二つの部分に分けられ、その中の三分の二の表示インターフェースは指す方向に対応する装置の操作インターフェースであり、三分の一の表示インターフェースは現時点位置で検索され且つ信号の強さにより順番づけられる全ての制御対象電気製品のアイコン選択リストである。即ち、制御対象電気製品の発した信号の強さ順番は以下のとおり、テレビ５５＞第二ランプ５１２＞エアコン５６＞カーテン５４＞第一ランプ５１１である。以上のロジックによりスマートホーム無線制御システムは第一ランプ５１１或いは第二ランプ５１２を指すときにランプのスイッチオンオフインターフェースを表示し、カーテンを指すときにカーテン開閉インターフェースを表示し、エアコンを指すときにエアコンリモコン模擬インターフェースを表示し、且つユーザの操作により相応する制御対象端末の制御を行う。
【００３４】
そして、ユーザは、ルートＴ２に近づいて行くように位置Ｐ１から部屋を離れる。ユーザが携帯電話１５を持って第一遠隔制御対象装置の発したＷＩＦＩ信号の強さがＬＶ１に達したエリアに入るときに、携帯電話はＡＰを介して自動的に第一ランプ５１１にカウンターインクリメントコマンドを送信し、このとき第一ランプ５１１のカウンターは０から１に変わり「真」という条件が成立し、第一ランプ５１１はスイッチオンになり点灯する。そしてユーザは携帯電話を持って第一ランプ５１１の発したＷＩＦＩ信号がＬＶ２を超えるエリアに至るときに、携帯電話は自動的にＬＶ３からＬＶ１まで行くルートによりユーザの行く方向とＴ２とがマッチングする、即ち室内から入り口まで行くと判断する。そして携帯電話はＡＰを介して自動的に第一遠隔制御対象装置、第二遠隔制御対象装置、第三遠隔制御対象装置、第四遠隔制御対象装置、第五遠隔制御対象装置のそれぞれにカウンターデクリメントコマンドを送信する。このとき、第一遠隔制御対象装置のカウンターは１から０に変わり「偽」という条件が成立し、第一ランプ５１１はスイッチオフになり明かりが消える。第二遠隔制御対象装置のカウンターは１から０に変わり「偽」という条件が成立し、第二ランプ５１２はスイッチオフになり明かりが消える。第五遠隔制御対象装置のカウンターは１から０に変わり「偽」という条件が成立し、カーテン５４はスイッチオフになり且つ逆転して閉められる。第四遠隔制御対象装置のカウンターは１から０に変わり、そして携帯電話はＡＰを介して自動的に第四遠隔制御対象装置のカウンターを読み取り、同時に電流コレクタ５７はテレビ５５の現時点の使用電流を読み取り、取得カウンターは０であるが使用電流が待機電流より大きいと、携帯電話はＡＰを介して自動的に第四遠隔制御対象装置を経由してテレビ５５にスイッチオフコマンドを送信し、テレビ５５はスイッチオフ状態に入る。第三遠隔制御対象装置のカウンターは１から０に変わり、そして携帯電話はＡＰを介して自動的に第三遠隔制御対象装置のカウンターを読み取り、同時に電流コレクタ５７はエアコン５６の現時点の使用電流を読み取り、取得したカウンターは０であるが使用電流が待機電流より大きいと、携帯電話はＡＰを介して自動的に第三遠隔制御対象装置を経由してエアコン５６に待機コマンドを送信し、エアコン５６は待機状態に入る。
【００３５】
以上から分かるように、本発明のスマートホーム無線制御システムの操作過程全体は自動的に行われ、知能化レベルが高く、ユーザ行動の需要が予測しにくいテレビ５５の制御にしても同一の携帯電話を使用し且つ位置及び指し方向の固定を組み合わせてユーザに制御インターフェースを迅速に表示し制御が行われ、ユーザに複数の操作を行わせる必要がなく、複数の異なるリモコンを配置し且つ使用する必要がなく、同時に家から出かけた後にスイッチのオフを忘れたことで引き起こされた電力の無駄遣いを心配する必要がなく、ホーム電気製品全体をより知能化にし、環境にやさしくする。
【００３６】
前記実施例は本発明の実施形態の一種のみを表示されるもので、その説明は比較的に具体的で詳細であるが、本願の特許範囲に関する限定としてなされないことを、明確に理解されたい。当業者にとって、本発明の構想を逸脱しない前提のもとで、種々の変更及び改良を行うことができ、これらはいずれも本発明の範囲に属することを念のために言及する。従って、本発明特許の保護範囲は添付されている特許請求を基準とする。
【図１】
0006606269.tif 000002
【図２】
0006606269.tif 000003
【図３】
0006606269.tif 000004
【図４】
0006606269.tif 000005